(57)【要約】【課題】イジェクトレバーが小型化しても耐久性に富むロック機構を備えたカードコネクタを提供すること。【解決手段】筐体１に設けたカードを排出するためのイジェクトレバー３にロック部材４を揺動可能に保持させる。筐体にカム部７を設ける一方、ロック部材に、カム部に係合するカムフォロワー部１４と、カードの離脱を係止する係止部１５とを設ける。イジェクトレバーをスライドさせると、カム部とカムフォロワー部とが協働して、係止部によるカードの係止及び該係止の解除を行う。【選択図】        図６
2004207164.tif 000002
【特許請求の範囲】
【請求項１】
カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は、前記カム部に係合するカムフォロワー部と、前記カードの離脱を係止する係止部とを有し、前記イジェクトレバーをスライドさせることにより、前記カム部と前記カムフォロワー部とが協働して、前記係止部による前記カードの係止及び該係止の解除を行うようにしたことを特徴とするカードコネクタ。
【請求項２】
前記筐体は、ベースと、該ベースに固定されたカバーとを有し、前記イジェクトレバーは前記ベースに保持され、前記カム部は前記カバーに形成されている請求項１に記載のカードコネクタ。
【請求項３】
前記ロック部材は、底部を前記イジェクトレバーに回動可能に係合された略Ｕ字状部を有し、前記略Ｕ字状部のＵ字の一端に前記カムフォロワー部が設けられ、前記略Ｕ字状部のＵ字の他端に前記係止部が設けられている請求項１又は２に記載のカードコネクタ。
【請求項４】
前記係止部は、前記イジェクトレバーのスライドに応じかつ前記カム部の形状にしたがい前記カード受け入れ領域に出没する請求項３に記載のカードコネクタ。
【発明の詳細な説明】
【０００１】
【発明の属する技術分野】
本発明は、ＩＣカードや通信カード等のカードと接続されるカードコネクタに関し、特に、カードの飛び出しを防止するロック機構を備えたカードコネクタに関する。
【０００２】
【従来の技術】
通常、カードコネクタはカードを排出させるイジェクト機構を備えている。イジェクト機構の一つとしてＷ−ＰＵＳＨ式又はプッシュプッシュ式と呼ばれるものが知られている。この種のイジェクト機構は、挿入されたカードとともにコネクタ内を移動するイジェクトレバーを有している。
【０００３】
カードコネクタからのカードの飛び出しを防止するロック機構の一部品であるロック部材をイジェクトレバーに保持させることが提案されている（例えば、特許文献１参照）。特許文献１では、ロック部材はイジェクトレバーに片持ち梁状に圧入保持され、そのロック部材の弾性変形により、ロックのための係止爪を移動させてカードのロック若しくはそのロックの解除を行う。
【０００４】
また、ロック機構がロック部材を回転軸を中心として回転可能に備えたものもある（例えば、特許文献２及び特許文献３参照）。
【０００５】
【特許文献１】
特開２００１−３２６０２８号公報
【０００６】
【特許文献２】
特開２００２−１８４５２５号公報
【０００７】
【特許文献３】
特開２００１−２０３０３４号公報
【０００８】
【発明が解決しようとする課題】
最近のカードコネクタには小型化が要求され、必然的にイジェクトレバーにも小型化が要求される。極限まで小型化されたイジェクトレバーはロック部材の変形時のモーメントを十分な剛性で保持するには不利である。特に、特許文献１のようにロック部材をイジェクトレバーに片持ち梁状に圧入保持させたものでは、実用上では強度的に無理がある。
【０００９】
それ故に本発明の課題は、イジェクトレバーが小型化しても耐久性に富むロック機構を備えたカードコネクタを提供することにある。
【００１０】
【課題を解決するための手段】
本発明によれば、カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は、前記カム部に係合するカムフォロワー部と、前記カードの離脱を係止する係止部とを有し、前記イジェクトレバーをスライドさせることにより、前記カム部と前記カムフォロワー部とが協働して、前記係止部による前記カードの係止及び該係止の解除を行うようにしたことを特徴とするカードコネクタが得られる。
【００１１】
前記筐体は、ベースと、該ベースに固定されたカバーとを有し、前記イジェクトレバーは前記ベースに保持され、前記カム部は前記カバーに形成されていてもよい。
【００１２】
前記ロック部材は、底部を前記イジェクトレバーに回動可能に係合された略Ｕ字状部を有し、前記略Ｕ字状部のＵ字の一端に前記カムフォロワー部が設けられ、前記略Ｕ字状部のＵ字の他端に前記係止部が設けられていてもよい。
【００１３】
前記係止部は、前記イジェクトレバーのスライドに応じかつ前記カム部の形状にしたがい前記カード受け入れ領域に出没するものでもよい。
【００１４】
【発明の実施の形態】
図１−図３を参照して、本発明の実施の形態に係るカードコネクタの全体について説明する。
【００１５】
図示のカードコネクタは、ＩＣカードや通信カード等のカードと接続するものであって、カード受け入れ領域を規定する筐体１と、筐体１の一端に備えた、カードの挿入を検知するためのディテクションスイッチ２と、筐体１に第１及び第２の方向Ａ１及びＡ２に往復スライド自在に保持され、カード受け入れ領域からカードを排出するイジェクトレバー３と、イジェクトレバー３に揺動可能に保持されたロック部材４とを備えている。
【００１６】
筐体１は、ハウジング又はベース５と、ベース５に固定されたカバー６とを有し、これらの間にカード受け入れ領域を規定している。イジェクトレバー３はベース５に保持されている。カバー６にはスライドカム溝即ちカム部７が形成されている。カム部７は、その途中部分に、第１及び第２の方向Ａ１及びＡ２に対し傾斜した部分７ａを有している。
【００１７】
ベース５には、筐体１のカード受け入れ領域に挿入されたカードに電気的に接続される複数の導電性のコンタクト８と、複数のホールドダウン９とが配備されている。
【００１８】
図４および図５をも参照して、イジェクトレバー３及びロック部材４について説明する。
【００１９】
イジェクトレバー３はスプリング（図示せず）により第１の方向Ａ１に常時付勢されている。イジェクトレバー３にはハートカム１１が形成されている。ハートカム１１には、筐体１に固定のカムフォロワー（図示せず）が係合している。
【００２０】
カードが筐体１の他端からカード受け入れ領域に挿入されるとき、カードに押されてイジェクトレバー３が第２の方向Ａ２にスプリングを蓄勢しつつスライドする。所定の位置まで押し込まれると、押圧力を解除しても、ハートカム１１の作用によりイジェクトレバー３は押し込まれた状態に係止される。このとき、カードはコンタクト８に電気的に接続される。
【００２１】
カードをさらに少し押し込むと、ハートカム１１の作用によりイジェクトレバー３の係止が解除される。したがってイジェクトレバー３はスプリングの付勢力により第１の方向Ａ１に移動する。その際、イジェクトレバー３がカードをコンタクト８から切り離しかつカード受け入れ領域から押し出す。
【００２２】
こうしてハートカム１１の作用によりイジェクトレバー３はＷ−ＰＵＳＨ式のイジェクト機構として働く。この種のイジェクト機構は、特許文献１及びその他の文献に詳しく記載されているので、ここではこれ以上の説明を省略する。
【００２３】
一方、ロック部材４は略Ｕ字状部１２を有している。略Ｕ字状部１２のＵ字の底部は、ベース５に固定の支軸１３により、イジェクトレバー３に回動可能に係合されている。略Ｕ字状部１２のＵ字の一端には摺動子又はカムフォロワー部１４が設けられている。また、Ｕ字状部１２のＵ字の他端には係止爪又は係止部１５が設けられている。
【００２４】
カムフォロワー部１４はカバー６のカム部７に挿入されて係合する。したがって、イジェクトレバー３を第１及び第２の方向Ａ１及びＡ２に往復スライドさせると、カム部７の形状にしたがいロック部材４は支軸１３を支点として揺動する。
【００２５】
係止部１５は、ロック部材４の揺動にしたがい、カード受け入れ領域に出没する。コネクタ本体２に接続されているときに係止部１５がカード受け入れ領域に突出すると、係止部１５はカードの側縁の凹部に係合し、カードの離脱を係止する。係止部１５がカード受け入れ領域から引っ込むと、係止部１５によるカードの係止が解除されるため、カードを離脱させることが可能になる。
【００２６】
図６（ａ），（ｂ）をも参照して、このカードコネクタの実際の動作について説明する。
【００２７】
カードが挿入されていない状態を示す図５（ａ）では、イジェクトレバー３が第１の方向Ａ１に移動しかつ係止部１５がカード受け入れ領域から引っ込んでいる。カードが挿入されると、カードに押されてイジェクトレバー３が第２の方向Ａ２に移動する。その際に、カム部７とカムフォロワー部１４とが協働してロック部材４を一方向に揺動させる。その結果、図５（ｂ）に示すように係止部１５がカード受け入れ領域に突出し、カードの凹部に係合する。この状態でカードの挿入を進行させると、カードがコンタクト８に接続される。コンタクト８に接続されているときには、カードは係止部１５に係止され、不慮の離脱を阻止される。
【００２８】
カードがさらに押し込まれると、上述したようにハートカム１１の作用によりイジェクトレバー３の係止が解除され、スプリングの付勢力によりイジェクトレバー３が第１の方向Ａ１に移動する。その際に、カム部７とカムフォロワー部１４とが協働してロック部材４を反対方向に揺動させる。その結果、図５（ａ）に示すように係止部１５がカード受け入れ領域から引っ込み、イジェクトレバー３の窪み１６に入るため、カードの凹部との係合が解除される。したがって、カードはスムースにコンタクト８から切り離され、カード受け入れ領域から排出可能になる。
【００２９】
なお、図１に示すように、カバー６に、カードを制動するための複数のカードブレーキ１７、及びカバー６をホールドダウン９に接続するための複数の接続バネ１８を備えることは好ましい。
【００３０】
【発明の効果】
以上説明したように、本発明によれば、ロック部材をイジェクトレバーに圧入させるという構造ではないため、イジェクトレバーが小型化しても耐久性に富むロック機構を備えたカードコネクタを提供することが可能である。
【図面の簡単な説明】
【図１】本発明の実施の形態に係るカードコネクタの斜視図である。
【図２】図１のコネクタをカバーを外した状態で示した斜視図である。
【図３】図１のカードコネクタの要部のみの分解斜視図である。
【図４】図１のカードコネクタに含まれたイジェクトレバーとロック部材との組合せ体の平面図である。
【図５】図１のカードコネクタに含まれたロック部材の拡大斜視図である。
【図６】図１のカードコネクタのカバーを想像線で示した説明用斜視図であり、（ａ）はカードが挿入されていないときの状態を示し、（ｂ）はカードが挿入されたと仮定した状態を示す。
【符号の説明】
１  筐体
２  ディテクションスイッチ
３  イジェクトレバー
４  ロック部材
５  ベース
６  カバー
７  カム部
８  コンタクト
９  ホールドダウン
１１  ハートカム
１２  略Ｕ字状部
１３  支軸
１４  カムフォロワー部
１５  係止部
１６  窪み
１７  カードブレーキ
１８  接続バネ
【図１】
2004207164.tif 000003
【図２】
2004207164.tif 000004
【図３】
2004207164.tif 000005
【図４】
2004207164.tif 000006
【図５】
2004207164.tif 000007
【図６】
2004207164.tif 000008
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は略Ｕ字状部を有し、前記略Ｕ字状部は、支軸の周りに沿ってのびて前記イジェクトレバーに係合された底部と、前記略Ｕ字状部のＵ字の一端にあって前記カム部に係合するカムフォロワー部と、前記略Ｕ字状部のＵ字の他端にあって前記カードの離脱を係止する係止部とを有し、前記イジェクトレバーをスライドさせることによって、前記カム部と前記カムフォロワー部とが協働して、前記略Ｕ字状部を前記支軸を支点として揺動させて前記係止部を移動させ、前記係止部による前記カードの係止及び該係止の解除を行うようにしたことを特徴とするカードコネクタ。
【請求項２】
前記筐体は、ベースと、該ベースに固定されたカバーとを有し、前記イジェクトレバーは前記ベースに保持され、前記カム部は前記カバーに形成されている請求項１に記載のカードコネクタ。
【請求項３】
前記係止部は、前記イジェクトレバーのスライドに応じかつ前記カム部の形状にしたがい前記カード受け入れ領域に出没する請求項２に記載のカードコネクタ。
【手続補正２】
【補正対象書類名】明細書
【補正対象項目名】００１０
【補正方法】変更
【補正の内容】
【００１０】
【課題を解決するための手段】
本発明によれば、カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は略Ｕ字状部を有し、前記略Ｕ字状部は、支軸の周りに沿ってのびて前記イジェクトレバーに係合された底部と、前記略Ｕ字状部のＵ字の一端にあって前記カム部に係合するカムフォロワー部と、前記略Ｕ字状部のＵ字の他端にあって前記カードの離脱を係止する係止部とを有し、前記イジェクトレバーをスライドさせることによって、前記カム部と前記カムフォロワー部とが協働して、前記略Ｕ字状部を前記支軸を支点として揺動させて前記係止部を移動させ、前記係止部による前記カードの係止及び該係止の解除を行うようにしたことを特徴とするカードコネクタが得られる。




【手続補正書】
【提出日】平成16年2月12日(2004.2.12)
【手続補正１】
【補正対象書類名】明細書
【補正対象項目名】特許請求の範囲
【補正方法】変更
【補正の内容】
【特許請求の範囲】
【請求項１】
カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は板状のものを略Ｕ字状に曲げ形成された略Ｕ字状部を有し、前記略Ｕ字状部は、支軸の周りに沿ってのびて前記イジェクトレバーに係合された底部と、前記略Ｕ字状部のＵ字の一端にあって前記カム部に係合するカムフォロワー部と、前記略Ｕ字状部のＵ字の他端にあって前記カードの離脱を係止する係止部とを有し、前記イジェクトレバーをスライドさせることによって、前記カム部と前記カムフォロワー部とが協働して、前記略Ｕ字状部を前記支軸を支点として揺動させて前記係止部を移動させ、前記係止部による前記カードの係止及び該係止の解除を行うようにしたことを特徴とするカードコネクタ。
【請求項２】
前記筐体は、ベースと、該ベースに固定されたカバーとを有し、前記イジェクトレバーは前記ベースに保持され、前記カム部は前記カバーに形成されている請求項１に記載のカードコネクタ。
【請求項３】
前記係止部は、前記イジェクトレバーのスライドに応じかつ前記カム部の形状にしたがい前記カード受け入れ領域に出没する請求項２に記載のカードコネクタ。
【手続補正２】
【補正対象書類名】明細書
【補正対象項目名】００１０
【補正方法】変更
【補正の内容】
【００１０】
【課題を解決するための手段】
本発明によれば、カードの接続に使用されるカードコネクタであって、カード受け入れ領域を規定する筐体と、前記筐体にスライド自在に保持され、前記カード受け入れ領域から前記カードを排出するイジェクトレバーと、前記イジェクトレバーに揺動可能に保持されたロック部材とを備え、前記筐体はカム部を有し、前記ロック部材は板状のものを略Ｕ字状に曲げ形成された略Ｕ字状部を有し、前記略Ｕ字状部は、支軸の周りに沿ってのびて前記イジェクトレバーに係合された底部と、前記略Ｕ字状部のＵ字の一端にあって前記カム部に係合するカムフォロワー部と、前記略Ｕ字状部のＵ字の他端にあって前記カードの離脱を係止する係止部とを有し、前記イジェクトレバーをスライドさせることによって、前記カム部と前記カムフォロワー部とが協働して、前記略Ｕ字状部を前記支軸を支点として揺動させて前記係止部を移動させ、前記係止部による前記カードの係止及び該係止の解除を行うようにしたことを特徴とするカードコネクタが得られる。